【事件の表示】
　特許第３２１１１１７号「健康管理指針アドバイス装置」の請求項１ないし７に係る特許に対する特許異議の申立てについて、次のとおり決定する。
【結　論】
　訂正を認める。
　特許第３２１１１１７号の請求項１ないし５に係る特許を維持する。
【理　由】
１．手続の経緯
　本件特許第３２１１１１７号発明は、平成５年８月３０日に特許出願され、平成１３年７月１９日にその特許の設定登録がなされ、その後、樋口守孝より特許異議の申立がなされ、取消理由通知がなされ、その指定期間内である平成１４年１０月１１日に訂正請求がなされたものである。
　
２．訂正の適否についての判断
２．１　訂正の内容
　　特許権者が求めている訂正の内容は以下のとおりである。
ア．訂正事項ａ
　請求項１の記載中「・・において、前記身体内部インピーダンスを算出する手段等を内蔵する装置本体部に、接触時の指の並び方向に位置をずらして付設された手用の前記第１の電極対の少なくとも一個の電極及び第２の電極対の少なくとも一個の電極と、前記装置本体部に一体的に形成される握部と、前記装置本体部にケーブルで接続され、前記第１の電極対の少なくとも一個の電極及び前記第２の電極対の少なくとも一個の電極が設けられるフット電極部とを備えたことを特徴とする健康管理指針アドバイス装置。」の記載を「・・において、前記身体内部インピーダンスを算出する手段等を内蔵する装置本体部に、前記装置本体部に一体的に形成される握部と、接触時の指の並び方向に位置をずらして前記握部に付設された手用の前記第１の電極対の少なくとも一個の電極及び第２の電極対の少なくとも一個の電極とを備え、前記装置本体部にケーブルで接続され、前記第１の電極対の少なくとも一個の電極及び前記第２の電極対の少なくとも一個のの電極が設けられるフット電極部を備えたことを特徴とする健康管理指針アドバイス装置。」と訂正する。
イ．訂正事項ｂ
　請求項５において「前記左足用と右足用の第１の電極対の一個の電極が、電気的に共通一体的に接続されたものであり、」とあるのを、「前記左足用と右足用の第２の電極対の一個の電極が、電気的に共通一体的に接続されたものであり、」と訂正する。
ウ．訂正事項ｃ 
　請求項６及び７を削除する。
エ．訂正事項ｄ
　特許明細書中の段落【０００６】において、「この出願の特許請求の範囲の・・・」の前に、「【課題を解決するための手段及び作用】」を挿入する。また、同【０００６】の「・・・において、」以降の記載を、「前記身体内部インピーダンスを算出する手段等を内蔵する装置本体部に、前記装置本体部に一体的に形成される握部と、接触時の指の並び方向に位置をずらして前記握部に付設された手用の前記第１の電極対の少なくとも一個の電極及び第２の電極対の少なくとも一個の電極とを備え、前記装置本体部にケーブルで接続され、前記第１の電極対の少なくとも一個の電極及び前記第２の電極対の少なくとも一個のの電極が設けられるフット電極部を備えている。」と訂正する。
オ．訂正事項ｅ
　同明細書中の段落【００１１】において「一個の電気的に」とあるのを「一個の電極が電気的に」と訂正する。
カ．訂正事項ｆ
　同明細書中の段落【００１２】において「接続され及び」とあるのを「接続され、及び」と訂正するとともに、「請求項６記載の・・・備えている。」の記載を削除する。
キ．訂正事項ｇ
　同明細書中の段落【００１４】において「右手用グリップ」とあるのを「右手用グリップ部」と訂正する。
ク．訂正事項ｈ
　同明細書中の段落【００１５】において「シート材部」（２ヶ所）とあるのを「シート部材」と訂正する。
ケ．訂正事項ｉ
　同明細書中の段落【００１６】において「シート材部」とあるのを「シート部材」と訂正する。
コ．訂正事項ｊ
　同明細書中の段落【００１８】において「電極５３、５５、５６５７、５８」とあるのを「電極５５、５６、５７、５８」と訂正する。
サ．訂正事項ｋ
　同明細書中の段落【００１９】、【００２６】、【００２７】、【００４２】、【００４３】、【００４４】、【００４５】、及び【００４６】において「差動増幅部」とあるのをそれぞれ「差動増幅器」と訂正する。
シ．訂正事項ｌ
　同明細書中の段落【００２４】において「電極５５、５６、５７、５８に」とあるのを「電極５５、５６、５７、５８を」と訂正する。
セ．訂正事項ｍ
　同明細書中の段落【００２５】において「Ａｇ−Ａｇｃｌ」とあるのを「Ａｇ−ＡｇＣｌ」と訂正する。
ソ．訂正事項ｎ
　同明細書中の段落【００３５】において「≒１５〜５０Ω」とあるのを「＝１５〜５０Ω」と訂正する。
タ．訂正事項ｏ
　同明細書中の段落【００３９】において「統処理結果」とあるのを「統計処理結果」と訂正する。
チ．訂正事項ｐ
　同明細書中の段落【００４６】において「電極５５」とあるのを「電極５６」と訂正する。
　
２．２　訂正の目的の適否、新規事項の有無、及び特許請求の範囲の拡張・変更の存否
(１）訂正事項ａについて、
　訂正事項ａは、請求項１の記載中の「接触時の指の並び方向に位置をずらして付設された手用の前記第１の電極対の少なくとも一個の電極及び第２の電極対の少なくとも一個の電極と、前記装置本体部に一体的に形成される握部と、前記装置本体部にケーブルで接続され、前記第１の電極対の少なくとも一個の電極及び前記第２の電極対の少なくとも一個のの電極が設けられるフット電極部とを備えた」を、「前記装置本体部に一体的に形成される握部と、接触時の指の並び方向に位置をずらして前記握部に付設された手用の前記第１の電極対の少なくとも一個の電極及び第２の電極対の少なくとも一個の電極とを備え、前記装置本体部にケーブルで接続され、前記第１の電極対の少なくとも一個の電極及び前記第２の電極対の少なくとも一個のの電極が設けられるフット電極部を備えた」と訂正するものであって、この訂正は装置本体部と握部およびフット電極部との関係、および手用の電極の付設位置が明りょうでなかったものを明りょうにするための訂正である。そして、前記訂正は本件特許公報の段落【００１３】、【００１４】（第３頁左欄第２１〜２８行）、【００１５】の記載、及び図１、図２等に基づくものである。
　したがって、前記訂正事項ａは、明りょうでない記載の釈明を目的とするものであって、特許明細書の記載事項の範囲内の訂正であり、新規事項の追加に該当せず、実質上特許請求の範囲を拡張しまたは変更するものではない。
(２）訂正事項ｂについて
　訂正事項ｂは、願書に最初に添付した明細書中では「第２」となっていたものを、平成１２年１０月２７日付けの手続補正書による請求項５の補正で「第１」と誤記したものを訂正することを目的とするものであって、特許明細書の請求項５で引用している請求項３の記載から見ても誤記であることは明らかである。
　よって、前記訂正は特許明細書の記載事項の範囲内の訂正であり、新規事項の追加に該当せず、実質上特許請求の範囲を拡張しまたは変更するものではない。
(３）訂正事項ｃについて
　請求項を削除するものであるから、特許請求の範囲の減縮を目的とするものであって、特許明細書の記載事項の範囲内の訂正であり、新規事項の追加に該当せず、実質上特許請求の範囲を拡張しまたは変更するものではない。
(４）訂正事項ｄ〜ｆについて
　訂正事項ｄ〜ｆは、訂正事項ａ〜ｃによって訂正された特許請求の範囲の記載に整合するように、明細書の記載を訂正するものであるから、明りょうでない記載の釈明を目的とするものであって、特許明細書の記載事項の範囲内の訂正であり、新規事項の追加に該当せず、実質上特許請求の範囲を拡張しまたは変更するものではない。
(５）訂正事項ｇ〜ｐについて
　訂正事項ｇ〜ｐは、いずれも明らかな誤記の訂正を目的とするものであって、特許明細書の記載事項の範囲内の訂正であり、新規事項の追加に該当せず、実質上特許請求の範囲を拡張しまたは変更するものではない。
　
２．３　むすび
　以上のとおりであるから、上記訂正は、特許法第１２０条の４第２項及び同条第３項で準用する平成６年法律第１１６号による改正前の特許法第１２６条第２項及び第３項の規定に適合するので、当該訂正を認める。
　
３．特許異議の申立について
３．１　申立の理由の概要
　申立人樋口守孝は、本件特許発明に対して、証拠として甲第１号証（特公平５−４９０５０号公報）、甲第２号証（実願昭５６−１２９０５号（実開昭５７−１２６２０４号）のマイクロフィルム）、甲第３号証（特開昭６１−２３２５２２号公報）、および甲第４号証（特開平４−７５６３２号公報）を提出し、本件請求項１ないし７に係る発明は、甲第１号証ないし甲第４号証に記載された発明に基づいて当業者が容易になし得たものであり、いずれの発明も、特許法第２９条第２項の規定に該当し、同法第１１３条第２号の規定により、その特許は取り消されるべきものである旨主張している。
　
３．２　本件発明
　上記のとおり訂正請求が認められたので、本件請求項１ないし５に係る発明（以下、それぞれ「本件発明１」ないし「本件発明５」という。）は、訂正明細書の請求項１ないし５に記載された以下のとおりのものである。
「【請求項１】
　被験者の測定部位間に、高周波信号を印加する第１の電極対と、この印加信号の身体通電路内に配置して身体抵抗電位を計測する計測用の第２の電極対と、前記第１の電極対間の通電により、前記第２の電極対間の身体抵抗電位を計測して身体内部インピーダンスを測定する手段と、被験者の身体特定化情報を入力する手段と、前記インピーダンス値と身体特定化情報とに基づいて、体内脂肪、除脂肪量、体脂肪率、水分量、基礎代謝量等の健康評価データを抽出する手段とを備える健康管理指針アドバイス装置において、
　前記身体内部インピーダンスを算出する手段等を内蔵する装置本体部に、前記装置本体部に一体的に形成される握部と、接触時の指の並び方向に位置をずらして前記握部に付設された手用の前記第１の電極対の少なくとも一個の電極及び第２の電極対の少なくとも一個の電極とを備え、前記装置本体部にケーブルで接続され、前記第１の電極対の少なくとも一個の電極及び前記第２の電極対の少なくとも一個の電極が設けられるフット電極部を備えたことを特徴とする健康管理指針アドバイス装置。
　【請求項２】
　前記手用の第１の電極対の少なくとも一個の電極及び手用の第２の電極対の少なくとも一個の電極は、前記握部に当該握部を握った時の指の並び方向に位置をずらして形成したことを特徴とする請求項１記載の健康管理指針アドバイス装置。
　【請求項３】
　前記握部は、前記装置本体部の両端に、左手用と右手用としてそれぞれ設けられ、この左手用と右手用の握部に、それぞれ前記第１の電極対の一個の電極と第２の電極対の一個の電極が当該握部を握った時の指の並び方向に位置をずらして形成され、前記フット電極部には左足用と右足用に、それぞれ第１の電極対の一個の電極と第２の電極対の一個の電極を形成したものである請求項１記載の健康管理指針アドバイス装置。　
　【請求項４】
　前記左手用の握部の第１の電極対の一個の電極、第２の電極対の一個の電極と、右手用の握部の第１の電極対の一個の電極、第２の電極対の一個の電極と、左足用の第１の電極対の一個の電極、第２の電極対の一個の電極と、右足用の第１の電極対の一個の電極、第２の電極対の一個の電極とを所要に応じ、選択的に切替接続する切替手段を備えたものである請求項３記載の健康管理指針アドバイス装置。
　【請求項５】
　前記左足用と右足用の第１の電極対の一個の電極が互いに電気的に共通に接続され、前記左足用と右足用の第２の電極対の一個の電極が、電気的に共通一体的に接続されたものであり、及びもしくは、前記左手用と右手用の第１の電極対の一個の電極が電気的に共通に接続され、左手用と右手用の第２の電極対の一個の電極が電気的に共通に接続されたものである請求項３記載の健康管理指針アドバイス装置。」
　
３．３　甲号各証の記載事項
　甲第１号証刊行物ないし甲第４号証刊行物（以下、それぞれ「刊行物１」ないし「刊行物４」という。）にはそれぞれ以下の事項が記載されている。
(１）刊行物１（特公平５−４９０５０号公報）
(１ａ）「身体の末端間のインピーダンスを測定するインピーダンス測定部２４と、測定されたインピーダンス、体重の測定値、および性別、年齢、身長等の所要個人データを演算処理して体内脂肪重量を算出する演算処理部２８と、測定された体重および演算された体内脂肪重量を表示する表示部１６，１８と、前記所要個人データを入力するためのキー入力部１４と、入力されたデータを保管する記憶装置３０とを備え、体内の脂肪組織重量を測定する体内脂肪重量計１０において、体重を測定するための測定台２０と、この測定台からの電気出力信号を体重信号に変換する体重測定部２２とを設け、インピーダンス測定部２４に電気接続され、被測定者の両足の裏面にそれぞれ接触でき、しかも測定台２０の表面が測定面１２’となるように測定台２０に互いに電気絶縁された二つの足用電極１２１，１２２を一体に組み込んだことを特徴とする体内脂肪重量計。」（第１頁第１欄第２〜１９行）、
(１ｂ）「身体の末端である足と手あるいは手と手の間のインピーダンスを測定するため、インピーダンス測定部２４に切換回路２６を介して電気接続される手用電極も設けてあることを特徴とする特許請求の範囲第１項に記載の体内脂肪重量計。」（第１頁第１欄第２０行〜第２欄第２行）、
(1ｃ）「この発明による方法は極めて微弱で人体には感知しえない電流を手足等に接触させた電極から流すものであることから……。装置も小型に形成でき、測定場所の制約もない。」（第２頁第４欄第３１〜３６行）、
(１ｄ）「一方または両方の手に接触させる電極を設けることもできる。また、これらの電極を適当なスイッチの操作により、あるいは本体に形成された電極用ジャックに電極リードのプラグを挿入することにより切換え使用することもできる。このような構成により、両足間のインピーダンス値、あるいは片足−片手間のインピーダンス値、両手間のインピーダンス値を任意に選択して測定することができる。これ等を適宜組み合わせてより正確な測定結果を得ることができる。」（第３頁第６欄第７〜１７行）、
（１ｅ）「なお、電極１２とインピーダンス測定部２４との間には切換え回路２６が接続されており、図示されていない外部電極を一方または両方使用する際の切換えを行う。この外部電極は例えば被測定者の手に接触させる手用電極として形成することができる。」（第３頁第６欄第３０〜３５行）、
（１ｆ）「このような構成により、体重計の測定面１２’に一体に組み込んだ足用電極１２の上に被測定者が通常の体重計のような素足を載せるのみで、体重の外に足−足間のインピーダンス測定が可能となる。また、外部電極として手に接触させるための手用電極と足用電極とを左右いずれかづつ使用することによって被測定者の手−足間のインピーダンスを測定することが可能となる。更に、手用電極を左右共使用することにより、被測定者の手−手間のインピーダンスを測定することが可能となる。それぞれの測定値は身体の長さが異なるため当然異なる値となることが予想される。このような異なる値を積極的に利用して、被測定者の体質等を考慮した補正に利用することができる。」（第３頁第６欄第３６行〜第４頁第７欄第５行）、
が第１図および第２図とともに記載されている。
　よって、これらの記載から、刊行物１には、以下の発明が記載されているものと認められる。
「身体の末端間に、電流を印加する電極対と、前記電極対間の通電により、身体抵抗電位を計測してインピーダンスを測定するインピーダンス測定部と、所要個人データを入力するキー入力部と、前記インピーダンス値と所要個人データとに基づいて、体内脂肪重量を算出する演算処理部とを備える体内脂肪重量計において、手用の電極部と、足用電極が設けられる測定台とを備えた体内脂肪重量計。」（以下、これを「引用発明１」という。）
(２）刊行物２：実願昭５６−１２９０５号（実開昭５７−１２６２０４号）のマイクロフィルム
（２ａ）実用新案登録請求の範囲に、
「人体の生体発生電圧を両手間で検出するものにおいて、右手で握持される右側グリップと、左手で握持される左側グリップとを有し、該右側グリップの表面には右側検出電極と右側アース電極を隣り合わせて露出周設し、さらに前記左側グリップの表面には左側検出電極と左側アース電極を隣り合わせて露出周設してなる生体発生電圧検出装置。」が記載されている。
(３）刊行物３：特開昭６１−２３２５２２号公報
　機器の外面部分に、人体との接触によって導通し、機器を駆動制御する電極を設けた電池式電動機器が記載されている。
(４）刊行物４：特開平４−７５６３２号公報
　脈拍計において、一対の電極を備えた握部を装置本体部に一体に形成する旨の技術的事項が記載されている。
　
３．４　対比・判断
(１）請求項１について
　本件発明１と引用発明１とを対比すると、引用発明１の「体内脂肪重量計」も体内脂肪重量等の健康評価データを抽出する装置であって、「健康管理指針アドバイス装置」の一種であるから、両者は、以下の一致点、および相違点を有する。
一致点：「被験者の測定部位間に、電気信号を印加する電極対と、この印加信号の通電により、身体抵抗電位を計測して身体内部インピーダンスを測定する手段と、被験者の身体特定化情報を入力する手段と、前記インピーダンス値と身体特定化情報とに基づいて、体脂肪率等の健康評価データを抽出する手段とを備える健康管理指針アドバイス装置において、前記身体内部インピーダンスを算出する手段等を内蔵する装置本体部に、手用の電極部と、足用電極が設けられるフット電極部を備えた健康管理指針アドバイス装置。」
相違点(a）：本件発明１では、電気信号を印加する電極対と、前記印加信号による身体電位を計測する電極対とが、別の電極対として構成されているのに対し、引用発明１では、その点が明記されていない点。
相違点(b) ：被験者の測定部位間に印加する電気信号が、本件発明１では高周波信号であるのに対し、引用発明１では印加信号の内容は不明である点。
相違点(c) ：本件発明１は、装置本体部に、前記装置本体部に一体的に形成される握部と、接触時の指の並び方向に位置をずらして前記握部に付設された手用の前記第１の電極対の少なくとも一個の電極及び第２の電極対の少なくとも一個の電極とを備えているのに対し、引用発明１ではそのような構成を有していない点。
相違点(d) ：足用電極が、本件発明１では装置本体部にケーブルで接続されたフット電極に設けられているのに対し、引用発明１では装置本体部に一体的に設けられている点。
　
　前記相違点について検討する。
相違点(c) については、
　刊行物１には、電気接続される手用の電極を有する旨が記載されているだけであって、前記手用の電極の構成については何ら記載されていない。また、刊行物２および３には、装置本体部とは別の部材に設けられた手用の電極が示されているものの、装置本体部に設けられた握部に手用の電極を設けることに関しては、記載も示唆もされていない。さらに、刊行物４には脈拍計の装置本体部に設けられた握部に電極が設けられたものが示されているが、この電極は右手用、左手用のそれぞれの脈拍検出用の電極対をなすものであって、本件発明１の前記相違点(c）に係る構成を示すものでも、示唆するものでもない。
　よって、本件発明１の前記相違点(c）に係る構成は、刊行物１ないし４のいずれにも記載も示唆もされておらず、また、周知の技術とも認められない。
　そして、本件発明１は、相違点(c) に係る構成を有することによって、相違点(a)および(d) に係る構成ないしその他の構成と相俟って、明細書記載の効果を奏するものと認められる。
　したがって、他の相違点については検討するまでもなく、本件発明１が刊行物１ないし４に記載の発明に基づいて当業者が容易になし得たものとすることはできない。
　
(２）請求項２ないし５について
　請求項２ないし５は、いずれも請求項１を引用して、さらに限定的に構成を付加したものであるから、請求項１が引用刊行物から容易になし得たものと認められない以上、請求項２ないし５についても引用刊行物から容易になし得たものと認めることはできない。
　
３．５　むすび
　以上のとおりであるから、特許異議申立の理由によっては本件請求項１ないし５に係る発明についての特許を取り消すことはできない。
　また、他に本件請求項１ないし５に係る発明についての特許を取り消すべき理由を発見しない。
　したがって、本件請求項１ないし５に係る発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年３月４日（２００３．３．４）
【訂正の要旨】
（１）特許第３２１１１１７号発明の明細書中の特許請求の範囲の請求項１における「…において、」以下を、取消理由１．１に係る明瞭でない記載の釈明を目的として次のとおり訂正する。
「前記身体内部インピーダンスを算出する手段等を内蔵する装置本体部に、
前記装置本体部に一体的に形成される握部と、
前記握部に
を備え、前
部を
（２）同明細書中の特許請求の範囲の請求項５において「前記左足用と右足用の第１の電極対の一個の電極が、電気的に共通一体的に接続されたものであり、」の「第１」とあるのを、誤記の訂正を目的として「第２」と訂正する。
（３）同明細書中の特許請求の範囲の請求項６，７を、取消理由２（及び理由１．２）を解消するために、その縮減を目的として削除する。
（４）同明細書中の段落番号〔０００６〕において、「この出願の特許請求の範囲の…」の前に、誤記の訂正を目的として「【課題を解決するための手段及び作用】」を挿入する。また、同〔０００６〕の「…において」以降を、請求項１の訂正に伴う整合を図るため、明瞭でない記載の釈明を目的として「前記身体内部インピーダンスを算出する手段等を内蔵する装置本体部に、前記装置本体部に一体的に形成される握部と、接触時の指の並び方向に位置をずらして前記握部に付設された手用の前記第１の電極対の少なくとも一個の電極及び第２の電極対の少なくとも一個の電極とを備え、前記装置本体部にケーブルで接続され、前記第１の電極対の少なくとも一個の電極及び前記第２の電極対の少なくとも一個の電極が設けられるフット電極部を備えている。」と訂正する。
（５）同明細書中の段落番号〔００１１〕の第３１行〜第３２行において「一個の電気的に」の「一個の」と「電気的に」との間に、明瞭でない記載の釈明を目的として「電極が」を挿入する。
（６）同明細書中の段落番号〔００１２〕の第３４行において「接続され及び」の「接続され」と「及び」との間に、誤記の訂正を目的として「、」を挿入するとともに、第６欄第３８行〜第７欄第２２行の「請求項６記載の…備えている。」を、請求項６，７の削除に伴う整合を図るため、明瞭でない記載の釈明を目的として削除する。
（７）同明細書中の段落番号〔００１４〕の第３８行において「右手用グリップ」とあるのを、誤記の訂正を目的として「右手用グリップ部」と訂正する。
（８）同明細書中の段落番号〔００１５〕の第７欄第４６行、及び第７欄第５０行〜第８欄第１行において「シート材部」とあるのを、いずれも誤記の訂正を目的として「シート部材」と訂正する。
（９）同明細書中の段落番号〔００１６〕の第９行〜第１０行において「シート材部」とあるのを、誤記の訂正を目的として「シート部材」と訂正する。
（１０）同明細書中の段落番号〔００１８〕の第４９行〜第５０行において「電極５３、５５、５６５７、５８」とあるのを、誤記の訂正を目的として「電極５５、５６、５７、５８」と訂正する。
（１１）同明細書中の段落番号〔００１９〕の第１６行において「差動増幅部」とあるのを、誤記の訂正を目的として「差動増幅器」と訂正する。
（１２）同明細書中の段落番号〔００２４〕の第２５行において「電極５５、５６、５７、５８に」とあるのを、誤記の訂正を目的として「電極５５、５６、５７、５８を」と訂正する。
（１３）同明細書中の段落番号〔００２５〕の第４５行において「Ａｇ−Ａｇｃｌ」とあるのを、誤記の訂正を目的として「Ａｇ−ＡｇＣｌ」と訂正する。
（１４）同明細書中の段落番号〔００２６〕の第１３行において「差動増幅部」とあるのを、誤記の訂正を目的として「差動増幅器」と訂正する。
（１５）同明細書中の段落番号〔００２７〕の第３１行〜第３２行において「差動増幅部」とあるのを、誤記の訂正を目的として「差動増幅器」と訂正する。
（１６）同明細書中の段落番号〔００３５〕の第４８行において「≒１５〜５０Ω」とあるのを、誤記の訂正を目的として「＝１５〜５０Ω」と訂正する。
（１７）同明細書中の段落番号〔００３９〕の第１８行において「統処理結果」とあるのを、誤記の訂正を目的として「統計処理結果」と訂正する。
（１８）同明細書中の段落番号〔００４２〕の第４９行において「差動増幅部」とあるのを、誤記の訂正を目的として「差動増幅器」と訂正する。
（１９）同明細書中の段落番号〔００４３〕の第２８行において「差動増幅部」とあるのを、誤記の訂正を目的として「差動増幅器」と訂正する。
（２０）同明細書中の段落番号〔００４４〕の第４３行において「差動増幅部」とあるのを、誤記の訂正を目的として「差動増幅器」と訂正する。
（２１）同明細書中の段落番号〔００４５〕の第５行において「差動増幅部」とあるのを、誤記の訂正を目的として「差動増幅器」と訂正する。
（２２）同明細書中の段落番号〔００４６〕の第１８行において「差動増幅部」とあるのを、誤記の訂正を目的として「差動増幅器」と訂正するとともに、第２２行において「電極５５」とあるのを、誤記の訂正を目的として「電極５６」と訂正する。
（５４）【発明の名称】
健康管理指針アドバイス装置
（５７）【特許請求の範囲】
　【請求項１】
　被験者の測定部位間に、高周波信号を印加する第１の電極対と、この印加信号の身体通電路内に配置して身体抵抗電位を計測する計測用の第２の電極対と、前記第１の電極対間の通電により、前記第２の電極対間の身体抵抗電位を計測して身体内部インピーダンスを測定する手段と、被験者の身体特定化情報を入力する手段と、前記インピーダンス値と身体特定化情報とに基づいて、体内脂肪、除脂肪量、体脂肪率、水分量、基礎代謝量等の健康評価データを抽出する手段とを備える健康管理指針アドバイス装置において、
　前記身体内部インピーダンスを算出する手段等を内蔵する装置本体部に、
前記装置本体部に一体的に形成される握部と、
前記握部に
を備え、前
部を
　【請求項２】
　前記手用の第１の電極対の少なくとも一個の電極及び手用の第２の電極対の少なくとも一個の電極は、前記握部に当該握部を握った時の指の並び方向に位置をずらして形成したことを特徴とする請求項１記載の健康管理指針アドバイス装置。
　【請求項３】
　前記握部は、前記装置本体部の両端に、左手用と右手用としてそれぞれ設けられ、この左手用と右手用の握部に、それぞれ前記第１の電極対の一個の電極と第２の電極対の一個の電極が当該握部を握った時の指の並び方向に位置をずらして形成され、前記フット電極部には左足用と右足用に、それぞれ第１の電極対の一個の電極と第２の電極対の一個の電極を形成したものである請求項１記載の健康管理指針アドバイス装置。
　【請求項４】
　前記左手用の握部の第１の電極対の一個の電極、第２の電極対の一個の電極と、右手用の握部の第１の電極対の一個の電極、第２の電極対の一個の電極と、左足用の第１の電極対の一個の電極、第２の電極対の一個の電極と、右足用の第１の電極対の一個の電極、第２の電極対の一個の電極とを所要に応じ、選択的に切替接続する切替手段を備えたものである請求項３記載の健康管理指針アドバイス装置。
　【請求項５】
　前記左足用と右足用の第１の電極対の一個の電極が互いに電気的に共通に接続され、前記左足用と右足用の第
２
【発明の詳細な説明】
　【０００１】
　【産業上の利用分野】
　この発明は、被検者の特定化情報と体内インピーダンス測定情報より、体内脂肪、除脂肪量、体脂肪率、水分量、基礎代謝量等を算出し、この算出結果を基に、健康管理への指針情報を提示する健康管理指針アドバイス装置に関する。
　【０００２】
　【従来の技術】
　従来より、体内脂肪を測定するために、４電極式体内インピーダンス測定法が知られている。この体内インピーダンス測定法は、図２３に示すように、本体装置１と、この本体装置１からリード線６で接続される高周波信号を印加するための１対の電極２、３と、身体抵抗電位測定用の１対の電極４、５を備えた装置を用い、被験者をベッドに寝かせ、図２４に示すように右手と右足に、それぞれ電極２、３を装着し、さらに、その右手と右足互いに近い側に、身体抵抗電位計測用の電極４、５を装着し、本体装置１より、電極２、３に高周波信号を印加して被検者体に通電し、電極４、５間の電位差を計測し、この計測された電位差と通電電流から、被検者体の生体インピーダンスを求めるものである。
　【０００３】
　【発明が解決しようとする課題】
　上記した従来の４電極式の身体内インピーダンス測定法を用いた体脂肪率測定装置では、以下のような問題点がある。
　▲１▼通電経路変化誤差を無くし、十分な測定精度を得るために、測定姿勢を仰臥とし、両足間の接触及び両手と胴間の接触を防止するために、それぞれを離す必要があった。▲２▼前記被検者の拘束性及び電極の装着・操作が複雑などにより、専門の操作者を別に必要とした。被検者自身で操作できず、家庭向けに不向きである。▲３▼本装置では、多数の被検者を処理する業務用であるため、大型のキー入力部・表示部、プリンタ部及びＡＣ電源部等を装備しており、大型で取扱いの不便なものとなっている。▲４▼延長ケーブルを有する複数の電極部により、準備・後始末が煩わしい。▲５▼電極を装着する手足部位には、心電計の電極装着時と同様にケラチンクリーム等の導電剤を塗布し、接触抵抗の影響を軽減する必要があった。
　【０００４】
　また、さらに▲６▼インピーダンス測定により、体脂肪を推定する場合に、手・足部よりも胴体部のインピーダンス情報が重要であるが、従来の測定部位間では、手・足部のインピーダンスが胴体部より非常に大きく、かつ関節部でのインピーダンスが特に大きいため、手足の細い人、骨太の人及び関節のちょっとした姿勢の違いにより、測定結果に甚だしい影響を与える事が判明した。
　【０００５】
　例えば、身体各部位のインピーダンス測定結果例として、
　　手足の太い男性の場合：右手／右足間３５０Ω、右腕部１５０Ω
　　　　　　　　　　　　　右足部１３０Ω、胴体部７０Ω
　　手足の細い女性の場合：右手／右足間６７５Ω、右腕部３６０Ω
　　　　　　　　　　　　　右足部２４０Ω、胴体部７５Ω
　　手首の関節部　　　　：２５〜５０Ω程度
　この発明は、上記問題点に着目してなされたものであって、体内インピーダンスを被検者自身で測定でき、小型、軽量、安価で測定精度も良く、個人、一般家庭でも使用可能な健康管理指針アドバイス装置を提供することを目的としている。
　【０００６】
　
【課題を解決するための手段及び作用】
　この出願の特許請求の範囲の請求項１記載の健康管理指針アドバイス装置は、被験者の測定部位間に、高周波信号を印加する第１の電極対と、この印加信号の身体通電路内に配置して身体抵抗電位を計測する計測用の第２の電極対と、前記第１の電極対間の通電により、前記第２の電極対間の身体抵抗電位を計測して身体内部インピーダンスを測定する手段と、被験者の身体特定化情報を入力する手段と、前記インピーダンス値と身体特定化情報とに基づいて、体内脂肪、除脂肪量、体脂肪率、水分量、基礎代謝量等の健康評価データを抽出する手段とを備えるものにおいて、前記身体内部インピーダンスを算出する手段等を内蔵する装置本体部に、
前記装置本体部に一体的に形成される握部と、
前記握部に
を備え、前
部を
　【０００７】
　この健康管理指針アドバイス装置では、握部を両手で握り、手用の第１の電極対の少なくとも一個の電極、第２の電極対の少なくとも一個の電極に手を接触させ、被検者がフット電極に乗り、足裏を第１の電極対の少なくとも一個の電極、第２の電極対の少なくとも一個の電極に接触させることにより、被検者が立位のままで、自身で測定を行うことができる。
　【０００８】
　請求項２記載の健康管理指針アドバイス装置は、請求項１記載の装置において、手用の第１の電極対の少なくとも一個の電極及び手用の第２の電極対の少なくとも一個の電極を前記握部に当該握部を握った時の指の並び方向に位置をずらして形成している。
　【０００９】
　請求項３記載の健康管理指針アドバイス装置は、請求項２記載の装置において、前記握部は、前記装置本体部の両端に左手用と右手用としてそれぞれ設けられ、この左手用と右手用の握部に、それぞれ前記第１の電極対の一個の電極と第２の電極対の一個の電極が当該握部を握った時の指の並び方向に位置をずらして形成され、前記フット電極部には左足用と右足用に、それぞれ第１の電極対の一個の電極と第２の電極対の一個の電極を形成している。
　【００１０】
　この健康管理指針アドバイス装置では、右手用と左手用、左足用と右足用に、それぞれ高周波印加用電極と抵抗電位計測用電極を設けているので、種々の部位のインピーダンスが測定可能であり、例えば、左右の手用電極、左右の足用電極を、それぞれ短絡することにより、より精度の高い測定を行うことができる。
　請求項４記載の健康管理指針アドバイス装置は、請求項３記載の装置において、前記左手用の握部の第１の電極対の一個の電極、第２の電極対の一個の電極と、右手用の握部の第１の電極対の一個の電極、第２の電極対の一個の電極と、左足用の第１の電極対の一個の電極、第２の電極対の一個の電極と、右足用の第１の電極対の一個の電極、第２の電極対の一個の電極とを所要に応じ、選択的に切替接続する切替手段を備えている。
　【００１１】
　この健康管理指針アドバイス装置では、切替手段により、左手、右手、左足、右足用のそれぞれの電極を選択的に切替えることにより、例えば左手−左足の電極を選択することにより、左手−左足間のインピーダンスが測定でき、切替により種々の部位のインピーダンスを自由に測定できる。
　請求項５記載の健康管理指針アドバイス装置は、請求項３記載の装置において、前記左足用と右足用の第１の電極対の一個の電極が電気的に共通に接続され、前記左足用と右足用の第２の電極対の一個の電極が電気的に共通に接続され、及びもしくは前記左手用と右手用の第１の電極対の一個の電極が電気的に共通に接続され、左手用と右手用の第２の電極対の一個の
電極が
　【００１２】
　この健康管理指針アドバイス装置では、左足用と右足用の電極が電気的に共通に接続され及びもしくは左手用と右手用の電極が電気的に共通に接続されているので、体脂肪測定に不用な手足の関節部のインピーダンスを半減することができ、その分、胴体のインピーダンス測定精度を向上できる
。
　【００１３】
　【実施例】
　以下、実施例により、この発明をさらに詳細に説明する。
　図１は、この発明の一実施例を示す健康管理指針アドバイス装置の外観斜視図である。この実施例装置は、本体装置１０と、フット電極部５０と、これら本体装置１０とフット電極部５０を接続するケーブル５１とから構成されている。
　【００１４】
　本体装置１０は、本体部１１と、この本体部１１の左右両端部に、一体的に構成される左手用グリップ部（握部）１２と、右手用グリップ部（握部）１３とから構成されている。また本体部１１の前面には、電源スイッチ１４、スタート指示や被検者の身体的特徴である身長、体重等を入力するためのキースイッチ１５、さらに測定結果やアドバイス情報を表示するための表示部１６が設けられている。この表示部１６は、左手用グリップ部１２と右手用グリップ
部
　【００１５】
　左手用グリップ部１２、右手用グリップ部１３とも、垂直のほぼ円柱状であり、それぞれの表面には高周波信号印加用の電極１７、１８と、抵抗電位計測用の電極１９、２０が設けられている。これら電極１７、１８及び電極１９、２０は、図１に図示していないが、本体部１１内の回路部と電気的に接続されている。
　フット電極部５０は、略長方形平板状のシート
部材
部材
　【００１６】
　シート部材５２は、図３の断面図に示すように、表面シート６２と裏面シート６３で構成されている。これらのシート６２、６３の材料としては、ＰＶＣ、ＰＥＴ、ポリエチル等が使用される。また、足位置決め部５３、５４の土踏まずに相当する領域に、シート
部材
　【００１７】
　ケーブル５１は、両端にコネクタ６６、６７を有し、本体装置１０とフット電極部５０を脱着自在に接続する。この実施例装置において、被検者の生体インピーダンスを測定する場合は、図２に示すように、被検者Ａが、自分の両足をフット電極部５０の足位置決め部５３、５４に載置するとともに、本体装置１０のグリップ部１２を左手で、グリップ部１３を右手で握り、両手を前方に水平に上げ、本体装置１０を肩の高さに保持した状態で測定を開始する。
　【００１８】
　図４は、本体装置１０の本体部１１の回路構成を示すブロック図である。
　実施例装置の内部回路は、周波数ｆ０の定電流高周波信号を発生する高周波信号発生部２１（１０≦ｆ０≦１００ＫＨＺ）と、電極１９、２０からの電位信号を受ける差動増幅器２２と、周波数ｆ０以外の信号をカットするためのバンドパスフィルタ２３と、高周波信号成分を復調する復調回路２４と、アナログ信号をデジタル信号に変換するＡ／Ｄ変換器２５と、ＲＯＭ２６と、ＲＡＭ２７と、Ａ／Ｄ変換器２５からの入力やデータ入力部１５からの身長、体重、年令、性別、日時等のデータを取込み、インピーダンスの測定処理演算や、健康管理指針アドバイス情報を抽出する処理を実行するＣＰＵ２８と、警告を行うためのブザー２９と、測定結果を例えば、プリンタ等へ通信で出力する測定結果出力部３０と、電源用の電池３１と、さらに、高周波信号発生部２１や、差動増幅器２２の入力に、グリップ部１２、１３の電極１７、１８、１９、２０や、コネクタ６６、ケーブル５１、コネクタ６７を介してのフット電極部５０の電
極５
、
　【００１９】
　図５は、電極信号切替部３２を、両手−両足間のインピーダンス計測モードに設定した場合の接続例である。この場合は、左手用と右手用の高周波信号印加用電極１７、１８が短絡され、同様にフット電極部５０の高周波信号印加電極５５、５６が短絡され、手用の電極１７、１８と足用の電極５５、５６間に、高周波信号発生部２１が接続されている。また、左手用と右手用の抵抗電位計測用電極１９、２０が短絡され、同様に左足用と右足用の抵抗電位計測用電極５７、５８が短絡され、それぞれ差動増幅
器
　【００２０】
　次に、上記実施例装置の測定動作を図６、図７に示すフロー図を参照して説明する。
　電源スイッチ１４がＯＮされると、ＲＡＭ等の初期化や、各回路素子、表示素子のチェックを行う等の測定準備処理を行う（ステップＳＴ〔以下ＳＴと略す〕１）。次に被検者が、データ入力部１５より、身長、体重、年令、性別等の身体特定化情報と測定日時データを入力する（ＳＴ２）。これらのデータが入力完了するまで、待機し（ＳＴ２、ＳＴ３）、データ入力が完了すると、フット電極部の接続があるか否か判定する（ＳＴ４）。この判定は、図４、図５の回路において、ＣＰＵ２８でコネクタ６６（６７）のＣＴ端子からの接続検知信号の有無判別をすることにより行う。
　【００２１】
　ＳＴ４で判定ＮＯの場合は、両手間のインピーダンス測定モードへの電極切替部３２の切替設定を行い（ＳＴ５）、ＳＴ４の判定がＹＥＳの場合は、両手−両足間のインピーダンス測定モードへの電極切替部３２の切替設定を行う（ＳＴ６）。切替設定終了後、データ入力部１５のスタートＳＷがＯＮされるのを待機する（ＳＴ７）。ここでは、切替設定終了後、表示部１６に“スタートＳＷをＯＮした下さい”の指示表示を出して、被検者のキー操作を促してもよい。スタートＳＷがＯＮされると、数秒間のタイムディレーをおいて（ＳＴ８）、測定を開始した旨の報知をブザー２９で報知あるいは表示部１６で表示する（ＳＴ９）。ＳＴ８におけるディレータイムは、被検者がスタートＳＷをＯＮしてから、左右両手で、グリップ部１２、１３を完全、正確に握り、かつ両足を足位置決め部５３、５４に正しく載せ得るに充分な時間に設定する。
　【００２２】
　インピーダンスが測定されると、そのインピーダンス測定値が正常範囲で安定しているか、どうかを確認し（ＳＴ１０、ＳＴ１１）、安定していない場合は、表示部１６で“電極部と手、足をしっかり接触させて下さい”の表示をするとともに、ブザー２９を動作させてその旨を報知する（ＳＴ１２）。ＳＴ１１において、測定値が、正常で安定している場合には、測定処理及び、体脂肪の変換演算を実行し（ＳＴ１３）、測定終了を表示部１６、ブザー２９で報知する（ＳＴ１４）とともに、その後測定結果を表示部１６に表示し、必要に応じ、指針アドバイス情報も表示する（ＳＴ１５）。
　【００２３】
　なお、上記実施例装置において、データ入力部１５より入力する身体特定化情報は、別の機会に測定した、データを使用しても良いが、体重は、図８に示すように、シート状のフット電極部５０を、家庭用の体重計６８に載せ、その状態でフット電極部５０の上に、被検者が乗って、体重計６８で測定し、その時、測定した体重値を入力してもよい。実施例装置のフット電極部５０には、貫通穴６１を備えているので、図のように本体装置１０を保持したままで、貫通穴６１を介して、体重計６８の指示値を読み取ることができる。この貫通穴は、体重計６８の指示値を読み取ればよいから、透明窓に代えてもよい。
　【００２４】
　ところで、両足間のインピーダンスを測定する場合に、両足を接近させて測定すると、被検者によって大腿部が接触する場合があり、この場合は、測定経路が変化するので、測定精度に影響することとなる。実施例装置のフット電極部５０には、貫通穴６１を間に挟む形で、足位置決め部５３、５４を配置し、この足位置決め部５３、５４に電極５５、５６、５７、５８
を
　【００２５】
　図９は、この発明の他の実施例に使用されるフット電極部５０の外観斜視図、図１０は、図９のＢ−Ｂ’線で切断した断面図である。このフット電極部の特徴は、図１のフット電極部が、左足用と右足用が分離独立して形成されているに対し、左右共通で１個の高周波信号印加用電極６９と、左右共通で１個の抵抗電位計測用電極７０を設けた点である。このフット電極部５０も、もちろんシート部材５２上に、足位置決め部５３、５４が配置され、これら左足用位置決め部５３と右足用位置決め部５４間に跨り、電極６９、７０が形成されている。またシート部材５２は表面シート６２と裏面シート６３が接着剤で接着されて構成されており、両シートの間に、中央部で突出部６５ａを持つ、弾力材６５を挟設し、さらに突出部６５ａを覆うように、電極６９、７０を形成し、この電極６９、７０は、表面シート６２より、上方に突出露出させている。電極６９、７０の材料は、ＳＵＳ、Ａｇ、Ａｇ−Ａｇ
Ｃ
　【００２６】
　Ａｇ（銀）は、抗菌力を有するため、水虫等の感染を防止する見地から、表面シート６２、弾力材６５にＡｇを混入させた樹脂を使用するとともに、電極６９、７０もＡｇ板や、Ａｇメッキ材等の抗菌材料あるいはその他の抗菌処理を施した材料を使用することが望ましい。
　上記実施例装置において、両手−両足間のインピーダンスを測定する場合には、ケーブル５１によるフット電極部５０の接続検知信号により、ＣＰＵ２８は、電極信号切替部３２に、そのモード設定の指令に応じた切替コントロール信号が加えられ、電極信号切替部３２内は、図１１に示すように接続される。すなわち、両手の高周波信号印加用の電極１７、１８の接続線Ｉｈ１、Ｉｈ２が接続されて、高周波信号発生部２１の一端に接続される。また、両手の抵抗電位計測用の電極１９、２０の接続線Ｅｈ１、Ｅｈ２が差動増幅
器
　【００２７】
　両手間のインピーダンスを測定する場合は、ケーブル５０とともに、フット電極部５０を本体装置１０から外す。これにより、図１２に示すように、接続検知信号はＯＰＥＮ信号となり、この非接続を示す信号により、ＣＰＵ２８は両手間インピーダンス測定モードを設定する。そして、そのモードに応じた切替コントロール信号により、電極信号切替部３２は、図１２のように接続される。すなわち左手の高周波信号印加用の電極１７の接続線Ｉｈ１は高周波信号発生部２１の一端に接続され、左手の高周波信号印加用の電極１８の接続線Ｉｈ２は高周波信号発生部２１の他端に接続される。そして左手の抵抗電位計測用の電極１９の接続線Ｅｈ１と、右手の抵抗電位計測用の電極２０の接続線Ｅｈ２が、差動増幅
器
　【００２８】
　次に、手−足間のインピーダンス測定の具体例を説明する。
　今、図１３、図１４に示すように、右手と左手の各掌〜手首のインピーダンスを、Ｚ１、Ｚ６、右左の腕のインピーダンスをＺ２、Ｚ５、右左の肩から胴上端までのインピーダンスをＺ３、Ｚ４、胴のインピーダンスをＺ７、胴下端から右左両腰のインピーダンスをＺ８、Ｚ１１、右左の両足のインピーダンスをＺ９、Ｚ１２、右左の足首から足裏までのインピーダンスをＺ１０、Ｚ１３とする。
　【００２９】
　従来の測定では、右の手首と右の足首の間のインピーダンスを測定する。等価的に図１３に示す接続を行う。そのため、測定インピーダンスＺＳは、
　　ＺＳ＝Ｚ２＋Ｚ３＋Ｚ７＋Ｚ８＋Ｚ９
　この場合の問題点は、Ｚ２＋Ｚ９≫Ｚ７となることである。
　例えば、手足の太い男性の場合、Ｚ２＋Ｚ９＝１５０Ω＋１３０Ω＝２８０Ω、Ｚ３＋Ｚ７＋Ｚ８＝７０Ωで、ＺＳ＝３５０Ω程度となるに対し、手足の細い男性の場合、Ｚ２＋Ｚ３＝３６０Ω＋２４０Ω＝６００Ω、Ｚ３＋Ｚ７＋Ｚ８＝７５Ωで、Ｚ０＝６７５Ω程度となり、手足の太さに応じ、相当に、バラツキが出る。
　【００３０】
　一方、上記実施例装置による手−足間のインピーダンス測定は、両手の電極を短絡、両足の電極を短絡し、しかも掌と足裏間でインピーダンスを測定するものであるから、等価的には図１４に示す接続となる。そのため、測定インピーダンスＺＳは、
　　ＺＳ＝（Ｚ１＋Ｚ２＋Ｚ３）／／（Ｚ４＋Ｚ５＋Ｚ６）＋Ｚ７＋（Ｚ８＋Ｚ９＋Ｚ１０）／／（Ｚ１１＋Ｚ１２＋Ｚ１３）≒（Ｚ１＋Ｚ２＋Ｚ３）／２＋Ｚ７＋（Ｚ８＋Ｚ９＋Ｚ１０）／２
　ただし、右左の手と足で、各部位のインピーダンスがほぼバランス良く、等しいもの、つまりＺ１≒Ｚ６、Ｚ２≒Ｚ５、Ｚ３≒Ｚ４、Ｚ８≒Ｚ１１、Ｚ９≒Ｚ１２、Ｚ１０≒Ｚ１３としている。
　【００３１】
　この方法では、手及び足のインピーダンスを１／２に下げられるため、胴体部のインピーダンスＺ７の情報を有効に検出できる。また、手及び足の関節等によるちょっとした曲がり等の姿勢の違いによる測定バラツキの影響を少なくできる。また、両足大腿部の接触による測定経路変化誤差の影響も少なく出来る等の利点がある。
　【００３２】
　上記実施例では、両手あるいは両足のインピーダンスは、等しいものとして、手−足間のインピーダンス測定等について、説明したが、実際は被検者によって、左右の手足に発達度のバラツキがあり、利き手、利き足が他方より、発達しており、他方よりインピーダンス値が低くなることが考えられる。このような場合の補正式として、例えば次式が使用される。
　【００３３】
　　Ｚｈｆ＝（ＺＲｈ−Ｒｆ＋ＺＬｈ−Ｌｆ）／２　　…（１）
　ただし、Ｚｈｆ：手−足間のインピーダンス
　　ＺＲｈ−Ｒｆ：右手−右足間のインピーダンスの測定値
　　ＺＬｈ−Ｌｆ：左手−左足間のインピーダンスの測定値
　また、腕（手）の長さ、太さ、骨太さ、関節太さ、発達具合等により測定インピーダンス値は大きく異なる。
　【００３４】
　一例として手足の太い男性の場合を想定すると、図１３を参照し、
　　右手足間：Ｚ２＋Ｚ３＋Ｚ７＋Ｚ８＋Ｚ９＝３５０Ω
　　　右腕部：Ｚ２≒Ｚ５≒（Ｚ２＋Ｚ５）／２＝１５０Ω
　　　右足部：Ｚ９≒Ｚ１２≒（Ｚ９＋Ｚ１２）／２＝１３０Ω
　　　胴体部：Ｚ３＋Ｚ７＋Ｚ８＝７０Ω
　また、手足の細い女性の場合は、同一式で右手足間：６７５Ω、右腕部：３５０Ω、右足部：２４０Ω、胴体部：７０Ωである。
　【００３５】
　また、一般的に、手首部のインピーダンスはＺ１≒Ｚ２＝２５〜５０Ω程度、足首部はＺ１０≒Ｚ１３　
＝
　【００３６】
　【数１】
　【００３７】
　ただし、Ｚｈｆ：右手−右足間と左手−左足間のインピーダンス測定値の平均値〔上記（１）式参照〕
　　ＺＲｈ−Ｌｈ：右手−左手間のインピーダンス測定値
　　　αｈ、βｒ：測定対象母集団からの無作為的に抽出したサンプル統計処理結果より算出する定数
　上記した手のバラツキと同様に、足の長さ、太さ、骨太さ、関節太さ、発達具合等により、測定インピーダンス値が大きく異なる。したがって、足のバラツキによる手−足間のインピーダンスの補正を次式によって行うと良い。
　【００３８】
　【数２】
　【００３９】
　ただし、ＺＲｆ−Ｌｆ：右足−左足間のインピーダンス測定値
　　　　　　αｆ、βｆ：測定対象母集団からの無作為的に抽出したサンプルの統
計
　なお、手−足間の平均インピーダンスＺｈｆは、右手−左足間のインピーダンスと左手−右足間のインピーダンス測定値より算出してもよい。
　【００４０】
　以上のように、上記（２）式あるいは（３）式、又は両式を用いて、腕（手）や足のバラツキを補正したより精度の高い、手足間のインピーダンス測定を行うことができる。これらの式を用いるためには、右手−右足間、左手−左足間、両手間、両足間、右手−左足間、左手−右足間等のインピーダンスを測定することが必要である。
　【００４１】
　そこで、これらのインピーダンスが測定可能なこの発明の他の実施例健康管理指針アドバイス装置について説明する。この実施例装置の外観、及び回路部の基本構成は図１、図４に示したものと同様であるが、ＣＰＵ２８のモード設定機能、その他の処理機能、及び電極信号切替部３２の切替機能に特徴を有する。この実施例装置では、右手−右足間、左手−左足間、両手間、両足間、右手−左足間、左手−右足間のインピーダンス測定機能を有するほか、測定されたこれらのインピーダンスを用いて、補正処理を行う機能も備えている。
　【００４２】
　次に、この実施例装置における各インピーダンス測定モードについて説明する。
　先ず、右手−右足間インピーダンス測定モードに設定されると、ＣＰＵ２８からの切替コントロール信号により、電極信号切替部３２は、図１５に示すように、切替接続される。つまり、右手の高周波信号印加用電極１８の接続線Ｉｈ２が、高周波信号発生部２１の一端に接続され、右足の高周波信号印加用電極５５の接続線Ｉｆ２が高周波信号発生部２１の他端に接続される。また、右手の抵抗電位計測用電極２０の接続線Ｅｈ２と右足の抵抗電位計測用電極５８の接続線Ｅｆ２が、差動増幅
器
　【００４３】
　次に、左手−左手間インピーダンス測定モードに設定されると、ＣＰＵ２８からの切替コントロール信号により、電極信号切替部３２は、図１６に示すように、切替接続される。つまり、左手の高周波信号印加用電極１７の接続線Ｉｈ１が、高周波信号発生部２１の一端に接続され、左足の高周波信号印加用電極５５の接続線Ｉｆ１が高周波信号発生部２１の他端に接続される。また、左手の抵抗電位計測用電極１９の接続線Ｅｈ１と左足の抵抗電位計測用電極５６の接続線Ｅｆ１が、差動増幅
器
　【００４４】
　また、両手間インピーダンス測定モードに設定されると、ＣＰＵ２８からの切替コントロール信号により、電極信号切替部３２は、図１７に示すように、切替接続される。つまり、左手の高周波信号印加用電極１７の接続線Ｉｈ１が、高周波信号発生部２１の一端に接続され、右手の高周波信号印加用電極１８の接続線Ｉｈ２が高周波信号発生部２１の他端に接続される。また、左手の抵抗電位計測用電極１９の接続線Ｅｈ１と右手の抵抗電位計測用電極２０の接続線Ｅｈ２が、差動増幅
器
　【００４５】
　両足間インピーダンス測定モードに設定されると、ＣＰＵ２８からの切替コントロール信号により、電極信号切替部３２は、図１８に示すように、切替接続される。つまり、左足の高周波信号印加用電極５５の接続線Ｉｆ１が、高周波信号発生部２１の一端に接続され、右足の高周波信号印加用電極５６の接続線Ｉｆ２が高周波信号発生部２１の他端に接続される。また、左足の抵抗電位計測用電極５７の接続線Ｅｆ１と右足の抵抗電位計測用電極５８の接続線Ｅｆ２が、差動増幅
器
　【００４６】
　また、右手−左足間インピーダンス測定モードに設定されると、ＣＰＵ２８からの切替コントロール信号により、電極信号切替部３２は、図１９に示すように、切替接続される。つまり、右手の高周波信号印加用電極１８の接続線Ｉｈ２が、高周波信号発生部２１の一端に接続され、左足の高周波信号印加用電極５５の接続線Ｉｆ１が高周波信号発生部２１の他端に接続される。また、右手の抵抗電位計測用電極２０の接続線Ｅｈ２と左足の抵抗電位計測用電極５７の接続線Ｅｆ１が、差動増幅
器
５６
　【００４７】
　次に、左手−右足間インピーダンス測定モードに設定されると、ＣＰＵ２８からの切替コントロール信号により、電極信号切替部３２は、図２０に示すように、切替接続される。この場合、図１９の場合とは、右手と左手、左足と右足が逆になっており、図１９の場合と、右左の接続を互いに逆にすればよいので、説明は省略する。
　【００４８】
　ここで、上記実施例装置において、インピーダンス測定の補正処理を行う場合の動作を図２１、図２２に示すフロー図により説明する。
　以下の測定動作では、その前提として、被検者がフット電極部５０に乗り、左右の手で、グリップ部１２、１３を握り、図２で示した状態で、測定動作を開始する。また、右手−右足間のインピーダンス測定を基本測定部位測定モードとしている。
　【００４９】
　電源ＳＷがＯＮされて、動作がスタートとし、測定準備処理を行い（ＳＴ２１）、身体特定化情報等を入力し（ＳＴ２２）、ＲＥＡＤＹ、ＹＥＳとなる（ＳＴ２３）まで待機し、ＲＥＡＤＹ、ＹＥＳとなると、フット電極の接続あるかの判定（ＳＴ２４）を行うまでの処理は、図６の場合と同様である。この実施例装置では、ＳＴ２４でフット電極部５０が本体装置１０に、接続されていないと、フット電極部を接続する必要のある旨を、ブザー２９による警告音、あるいは表示部１６に表示して報知する（ＳＴ２５）。
　【００５０】
　ＳＴ２４で、フット電極部５０の接続が検出された場合には、右手−右足間のインピーダンス測定モード（基本測定モード）とするため電極信号切替部３２を図１５の接続状態に設定するとともに、基本モードフラグを“１”にセットする（ＳＴ２６）。そして、その後は、図６のＳＴ７、ＳＴ８、ＳＴ９と同様に、スタートがＯＮされるのを待機（ＳＴ２７）し、スタートＳＷがＯＮされると、その後、数秒間のタイムディレーを行う（ＳＴ２８）とともに、表示部１６等で、測定開始を報知する（ＳＴ２９）。報知後は、インピーダンス測定値が正常範囲で安定しているかどうかを複数回の測定等により確認し（ＳＴ３０）、正常、安定でなければ（ＳＴ３１）、電極部との接触をしっかりとするように、表示部１６、ブザー２９等で報知し（ＳＴ３２）、正常安定となるまでＳＴ３０〜ＳＴ３２の処理を繰り返す。この正常で安定である旨の判定は、数回分の測定に亘り、所定範囲であれば、ＳＴ３１の判定ＹＥＳとする。
　【００５１】
　ＳＴ３１で判定ＹＥＳの場合は、ＳＴ３３に移り、測定処理、つまり右手−右足間のインピーダンスを求め、次に「基本モードフラグ“１”か」判定する（ＳＴ３４）。すでに、フラグセット済であるから、判定ＹＥＳで、ＳＴ３５に移り、測定結果をＲＡＭエリアに記憶するとともに、次の測定モード、例えば両手間の測定モードへ、電極信号切替部３２の切替設定を行い、基本モードフラグをリセットし（ＳＴ３６）、ＳＴ３０に戻る。そして後は、両手間のインピーダンス測定をＳＴ３０、…、ＳＴ３３で行う。両手間のインピーダンス測定後、今度は、基本モードフラグがリセットされているので、ＳＴ３４の判定がＮＯであり、ＳＴ３７に移る。
　【００５２】
　ＳＴ３７では、ＲＡＭエリアの記憶データを読み出し、前述した補正式により、補正演算を行い、補正された生体インピーダンスを求める（ＳＴ３８）。その後は、ＳＴ３９ないしＳＴ４１で、図７のＳＴ１３、…、ＳＴ１５と同様の処理を行って、測定を終了する。
　【００５３】
　【発明の効果】
　この発明によれば、被検者がフット電極部に乗り、本体装置に付設される握部を握るだけで測定できるので、被検者自身で立位のままで容易に測定できる。また、少なくとも足への電極の装着が不要なので、その煩わしさが軽減され、測定を容易に行うことができる。
　また請求項２記載の装置によれば、握部を本体装置に一体的に形成し、この握部に手用の電極を形成しているので、握部を握るだけで、電極を掌に接触でき、手への電極の装着も不用となるので、装着の煩わしさから解放され、測定をより容易に行うことができる。
　【００５４】
　また請求項３記載の装置によれば、握部を本体装置の両端に形成し、両握部に左手と右手用の電極を設け、またフット電極部にも左足用と右足用の電極を設けるので、種々の部位間のインピーダンスが測定でき、例えば、両手、両足間を短絡状態にして、手−足間のインピーダンスを測定でき、手足のインピーダンスを半分とし得るので、その分、手足のインピーダンスの影響を軽減でき、精度の高い測定ができる。
　【００５５】
　また、請求項４記載の装置によれば、左右の手、左右の足に、それぞれ設けられる電極を切替手段による切替により、種々の２部位間の測定が自由に行えるので、基準測定部位の手−足間インピーダンスのみならず、その他の部位間のインピーダンス測定ができ、標準体型からの手足の長さ、太さ、骨太さ及び左右手足の発達度等の違いによる特徴を被検者の身体特定化補正情報として用い、測定精度の向上を測ることができる。
　【００５６】
　また請求項５記載の装置によれば、左足用と右足用の電極を電気的に共通に接続し、及びもしくは左手用と右手用の電極を電気的に共通に接続しているので、手足間のインピーダンスを測定する際、足及びもしくは手のインピーダンスの影響を１／２に軽減でき、胴体のインピーダンス測定精度を向上できる。
【図面の簡単な説明】
　【図１】
　この発明の一実施例を示す健康管理指針アドバイス装置の外観斜視図である。
　【図２】
　同実施例装置の使用状態を説明する図である。
　【図３】
　同実施例装置を構成するフット電極部の図１のＡ−Ａ’線で切断した断面図である。
　【図４】
　同実施例装置の本体装置内の回路構成を示すブロック図である。
　【図５】
　同実施例装置の電極信号切替部と各電極との接続例を示す回路図である。
　【図６】
　同実施例装置の測定動作を説明するためのフロー図である。
　【図７】
　図６とともに、同実施例装置の測定動作を説明するためのフロー図である。
　【図８】
　同実施例装置の他の使用状態を説明する図である。
　【図９】
　この発明の他の実施例健康管理指針アドバイス装置に使用するフット電極部を示す外観斜視図である。
　【図１０】
　同フット電極部の図９のＢ−Ｂ’線で切断した断面図である。
　【図１１】
　上記実施例装置における、両手電極の短絡接続、両足電極の短絡接続を説明する回路図である。
　【図１２】
　同実施例装置におけるフット電極部の切離し状態を説明するための回路図である。
　【図１３】
　従来のインピーダンス測定を説明するための生体内等価回路図である。
　【図１４】
　上記実施例装置によるインピーダンス測定を説明するための生体内等価回路である。
　【図１５】
　この発明の他の実施例健康管理指針アドバイス装置における右手−右足間インピーダンス測定モードの接続状態を示す回路図である。
　【図１６】
　同実施例装置における左手−左足間インピーダンス測定モードの接続状態を示す回路図である。
　【図１７】
　同実施例装置における両手間インピーダンス測定モードの接続状態を示す回路図である。
　【図１８】
　同実施例装置における両足間インピーダンス測定モードの接続状態を示す回路図である。
　【図１９】
　同実施例装置における右手−左足間インピーダンス測定モードの接続状態を示す回路図である。
　【図２０】
　同実施例装置における左手−右足間インピーダンス測定モードの接続状態を示す回路図である。
　【図２１】
　同実施例装置の測定動作を説明するためのフロー図である。
　【図２２】
　図２１とともに、同実施例装置の測定動作を説明するためのフロー図である。
　【図２３】
　従来の生体インピーダンス測定を説明する図である。
　【図２４】
　従来の生体インピーダンス測定における手及び足への電極装着を説明する図である。
　【符号の説明】
　１０　　　　　　　　　　　本体装置
　１２　　　　　　　　　　　左手用グリップ
　１３　　　　　　　　　　　右手用グリップ
　１７、１８、１９、２０　　手用の電極
　５０　　　　　　　　　　　フット電極部
　５１　　　　　　　　　　　ケーブル
　５５、５６、５７、５８　　足用の電極
　【数１】
　【数２】